(57)【要約】      （修正有）【課題】着用性を高めることが可能になる、スカートを提供する。【解決手段】着用者が診察又は治療される際に着用するスカート１であって、前身頃１１と後身頃１２とを有すると共に、着用者が着用した着用状態において、前身頃１１と後身頃１２の位置を相互に入れ替えるように回転自在であり、前身頃１１の下端から上端の近傍にわたって形成される開き部２０と、前身頃１１のうち開き部２０よりも幅方向の一方側の部分と、当該幅方向の他方側の部分とを正面方向から見て重複させることで形成される重複部３０と、を備える。【選択図】図１
0003229829.tif 000002
【実用新案登録請求の範囲】
【請求項１】
着用者が診察又は治療される際に着用するスカートであり、前身頃と後身頃とを有すると共に、前記着用者が当該スカートを着用した着用状態において、前記前身頃と前記後身頃の位置を相互に入れ替えるように回転自在であるスカートであって、
前記前身頃の下端から上端の近傍にわたって形成される開き部と、
前記前身頃のうち前記開き部よりも幅方向の一方側の部分と、当該幅方向の他方側の部分とを正面方向から見て重複させることで形成される重複部と、
を備えるスカート。
【請求項２】
前記重複部が前記前身頃の幅方向の略中央部に位置するように、前記開き部を当該中央部よりも幅方向の外側に配置した、
請求項１に記載のスカート。
【請求項３】
前記重複部の幅を、前記前身頃の上端から下端に向かうにつれて狭くした、
請求項１又は２に記載のスカート。
【請求項４】
前記開き部を開閉自在とする留め部を備え、
前記留め部を、前記開き部の丈方向の略中央位置に設けた、
請求項１から３のいずれか一項に記載のスカート。
【請求項５】
前記開き部を当該スカートの背面側に位置させる際に、前記開き部が所定位置に位置する旨を前記着用者に対して視認させるための視認部を備える、
請求項１から４のいずれか一項に記載のスカート。
【考案の詳細な説明】
【技術分野】
【０００１】
本考案は、スカートに関する。
【背景技術】
【０００２】
従来から、婦人科の医療機関で診察される患者の股部が不必要に露出することを抑制できるスカートが提案されている。このようなスカートとしては、例えば、スカートの前身頃の一部を切り欠くことで形成された垂れ部分であって、前身頃を切り欠くことで生じた開口部を開閉自在な垂れ部分を備えている（例えば、特許文献１参照）。
【先行技術文献】
【特許文献】
【０００３】
【特許文献１】実用新案登録第３０８９３１０号公報
【考案の概要】
【考案が解決しようとする課題】
【０００４】
ここで、上記従来のスカートにおいては、上述したように、垂れ部分がスカートの前身頃の一部を切り欠くことで形成されているので、垂れ部分と前身頃の垂れ部分以外の部分との間に隙間が生じやすくなる。これにより、例えば上記診察前において患者が上記スカートを着用している状態において、患者の足の動き等に伴って上記隙間が生じることにより患者の股部が不必要に露出してしまうおそれがあることから、着用性の観点からは改善の余地があった。
【０００５】
本考案は、上記に鑑みてなされたものであって、着用性を高めることが可能になる、スカートを提供することを目的とする。
【課題を解決するための手段】
【０００６】
上述した課題を解決し、目的を達成するために、請求項１に記載のスカートは、着用者が診察又は治療される際に着用するスカートであり、前身頃と後身頃とを有すると共に、前記着用者が当該スカートを着用した着用状態において、前記前身頃と前記後身頃の位置を相互に入れ替えるように回転自在であるスカートであって、前記前身頃の下端から上端の近傍にわたって形成される開き部と、前記前身頃のうち前記開き部よりも幅方向の一方側の部分と、当該幅方向の他方側の部分とを正面方向から見て重複させることで形成される重複部と、を備える。
【０００７】
請求項２に記載のスカートは、請求項１に記載のスカートにおいて、前記重複部が前記前身頃の幅方向の略中央部に位置するように、前記開き部を当該中央部よりも幅方向の外側に配置した。
【０００８】
請求項３に記載のスカートは、請求項１又は２に記載のスカートにおいて、前記重複部の幅を、前記前身頃の上端から下端に向かうにつれて狭くした。
【０００９】
請求項４に記載のスカートは、請求項１から３のいずれか一項に記載のスカートにおいて、前記開き部を開閉自在とする留め部を備え、前記留め部を、前記開き部の丈方向の略中央位置に設けた。
【００１０】
請求項５に記載のスカートは、請求項１から４のいずれか一項に記載のスカートにおいて、前記開き部を当該スカートの背面側に位置させる際に、前記開き部が所定位置に位置する旨を前記着用者に対して視認させるための視認部を備える。
【考案の効果】
【００１１】
請求項１に記載のスカートによれば、前身頃の下端から上端の近傍にわたって形成される開き部と、前身頃のうち開き部よりも幅方向の一方側の部分と、当該幅方向の他方側の部分とを正面方向から見て重複させることで形成される重複部と、を備えるので、開き部が正面側に位置するようにスカートを着用した第１着用状態において重複部によって着用者の股部の露出を抑制できると共に、開き部が背面側に位置するようにスカートを着用した第２着用状態において後身頃によって着用者の股部の露出を抑制できる。よって、従来技術（スカートの前身頃の一部を切り欠くことに形成された垂れ部分を備える技術）に比べて、第１着用状態又は第２着用状態であるか否かに関わらず、着用者の股部が不必要に露出することを抑制でき、スカートの着用性を高めることができる。
【００１２】
請求項２に記載のスカートによれば、重複部が前身頃の幅方向の略中央部に位置するように、開き部を当該中央部よりも幅方向の外側に配置したので、第１着用状態において着用者の股部の露出を抑制しながら、第２着用状態において着用者の臀部を効果的に露出させることができ、第１着用状態においてスカートの着用性を高めながら、第２着用状態において診察又は治療を行いやすくできる。
【００１３】
請求項３に記載のスカートによれば、重複部の幅を、前身頃の上端から下端に向かうにつれて狭くしたので、重複部の幅を前身頃の上端から下端に向かうにつれて広くする場合に比べて、足さばきに優れるため、スカートの着用性を高めることができる。
【００１４】
請求項４に記載のスカートによれば、留め部を、開き部の丈方向の略中央位置に設けたので、留め部の操作性を確保しながら、開き部を効果的に閉鎖でき、留め部の設置性を高めることができる。
【００１５】
請求項５に記載のスカートによれば、開き部を当該スカートの背面側に位置させる際に、開き部が所定位置に位置する旨を着用者に対して視認させるための視認部を備えるので、第２着用状態において開き部が所定位置に位置することを着用者が容易に確認でき、第２着用状態において開き部を所定位置に確実に位置させることが可能となる。
【図面の簡単な説明】
【００１６】
【図１】本考案の実施の形態に係るスカートを示す図であり、（ａ）は正面図、（ｂ）は背面図である。
【図２】ギャザー部を伸ばした状態のスカートを示す図であって、図１（ａ）に対応する領域を示す図である。
【図３】第１着用状態を示す斜視図である。
【図４】第２着用状態を示す斜視図である。
【図５】着用者が診察台に座る手順を示す図であり、（ａ）は診察台に座る直前の状態を示す図、（ｂ）は診察台を上昇させる前の状態を示す図、（ｃ）は診察台を上昇させた後の状態を示す図である。
【考案を実施するための形態】
【００１７】
以下に添付図面を参照して、この考案に係るスカートの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本考案が限定されるものではない。
【００１８】
〔Ｉ〕実施の形態の基本的概念
最初に、実施の形態の基本的概念について説明する。実施の形態は、概略的に、着用者が診察又は治療される際に着用するスカートであり、前身頃と後身頃とを有すると共に、着用者が当該スカートを着用した着用状態において、前身頃と後身頃の位置を相互に入れ替えるように回転自在であるスカートに関するものである。
【００１９】
ここで、「着用者」とは、スカートを着用する対象者を意味し、例えば、病院や災害避難所で診察又は治療を受ける患者、介護施設に入所している要介護者等を含む概念である。
【００２０】
また、スカートの具体的な種類は任意であるが、例えば、医療用（一例として、診療用、リハビリ用等）のスカート、介護用のスカート等を含む概念である。
【００２１】
以下、実施の形態では、スカートが、病院で診察又は治療を受ける患者が着用する診療用のスカートである場合について説明する。
【００２２】
〔ＩＩ〕実施の形態の具体的内容
次に、実施の形態の具体的内容について説明する。
【００２３】
（構成）
最初に、実施の形態に係るスカートの構成について説明する。図１は、本考案の実施の形態に係るスカートを示す図であり、（ａ）は正面図、（ｂ）は背面図である。図２は、後述するギャザー部を伸ばした状態のスカートを示す図であって、図１（ａ）に対応する領域を示す図である。図３は、後述する第１着用状態を示す斜視図である。図４は、後述する第２着用状態を示す斜視図である。以下の説明では、図１のＸ方向を左右方向又は幅方向（着用者（具体的には、患者）から見た方向を基準とするものとし、−Ｘ方向を右方向、＋Ｘ方向を左方向）、図２のＹ方向を前後方向（＋Ｙ方向を前方向、−Ｙ方向を後方向）、図１のＺ方向を上下方向（＋Ｚ方向を上方向、−Ｚ方向を下方向）と称する。
【００２４】
スカート１は、着用者が診察又は治療される際に着用するものであり、図１、図２に示すように、スカート本体１０、開き部２０、重複部３０、留め部４０、視認部５０、及び締付部６０を備えている。
【００２５】
ここで、着用者がスカート１を着用した「着用状態」とは、実施の形態では、「第１着用状態」と、「第２着用状態」とを含む概念である。このうち、「第１着用状態」とは、図３に示すように、開き部２０が正面側に位置するようにスカート１を着用した状態である。また、「第２着用状態」とは、図４に示すように、開き部２０が背面側に位置するようにスカート１を着用した状態である。
【００２６】
（構成−スカート本体）
図１に戻り、スカート本体１０は、スカート１の基本構造体である。このスカート本体１０は、着用者の下半身（具体的には、着用者の腰部から膝部に至る範囲）を覆うことが可能な略中空状体にて形成されている。具体的には、以下では、説明の都合上、スカート本体１０を２つの領域に区分して説明する。
【００２７】
すなわち、図１、図２に示すように、このスカート本体１０は、着用者の腹部側を覆う前身頃１１と、着用者の臀部側を覆う後身頃１２とを備えている。そして、着用状態において、前身頃１１と後身頃１２の位置を相互に入れ替えるように回転自在に構成されている。
【００２８】
また、実施の形態では、前身頃１１及び後身頃１２の上端部には、腰口部１３（開口）が設けられていると共に、前身頃１１及び後身頃１２の下端部には、袖口部１４（開口）が設けられている。さらに、前身頃１１及び後身頃１２の上端部の近傍には、ギャザー部１５が設けられている。
【００２９】
また、スカート本体１０の材質については任意であるが、例えば、着用者が動きやすい材質で形成されることが望ましく、一例として、軽量且つ伸縮性を有する公知の織物素材や、表地をポリエステル材とし、裏地を綿材（又はキュプラ材）とした公知の多層ニット素材、又はこれらを組み合わせたもの等にて形成されてもよい。
【００３０】
なお、以下では、スカート本体１０の面のうち、着用者の肌面に対向する側の面を「スカート内面」と称し、着用者の肌面に対向する側とは反対側の側面を「スカート外面」と称する。
【００３１】
（構成−開き部）
図１に戻り、開き部２０は、第２着用状態において重複部３０の重複量を調整するためものである。この開き部２０は、前身頃１１の一部を切り欠くことにより形成されており、具体的には、図１（ａ）、図２に示すように、前身頃１１の下端から上端の近傍にわたって形成されている。
【００３２】
（構成−重複部）
重複部３０は、第１着用状態において着用者の股部が露出することを抑制するためのものであり、図１（ａ）、図２に示すように、前身頃１１に設けられている。
【００３３】
また、重複部３０の形成方法については任意であるが、実施の形態では、前身頃１１のうち開き部２０よりも幅方向の一方側の部分１１ａ（図１（ａ）、図２では、右側部分。以下、「右側前身頃１１ａ」と称する。）と、当該幅方向の他方側の部分１１ｂ（図１（ａ）、図２では、左側部分。以下、「左側前身頃１１ｂ」と称する。）とを正面方向から見て重複させることで形成している。具体的には、図１に示すように、右側前身頃１１ａが左側前身頃１１ｂよりも外側に位置するように形成している。ただし、これに限らず、例えば、右側前身頃１１ａが左側前身頃１１ｂよりも外側に位置するように形成してもよい。
【００３４】
また、重複部３０の具体的な形状及び大きさについては任意であるが、実施の形態では以下の通りに設定している。
【００３５】
すなわち、重複部３０の正面形状については、図２に示すように、略台形状に設定している。ただし、これに限らず、略正方形状又は略長方形状の如き略矩形状に設定してもよい。
【００３６】
また、重複部３０の左右方向の長さ（幅）については、図２に示すように、前身頃１１の上端から下端に向かうにつれて狭くなるように設定している。具体的には、第１着用状態において着用者の股部が露出しにくい長さであり、且つ第２着用状態において後身頃１２を前方に引張ることで着用者の足部が開きやすい長さ（又は、着用者の背面側にスカート本体１０がないように捲れる長さ）に設定している。一例として、重複部３０の上端部の左右方向の長さについては、２０ｃｍ程度に設定し（なお、図１（ａ）に示すギャザー部１５によって重複部３０が縮んだ状態では、１１ｃｍ程度となる）、重複部３０の中間部の左右方向の長さについては、１８ｃｍ程度に設定し、重複部３０の下端部の左右方向の長さについては、１７ｃｍ程度に設定してもよい。
【００３７】
このような設定により、重複部３０の幅を前身頃１１の上端から下端に向かうにつれて広くする場合に比べて、足さばきに優れるため、スカート１の着用性を高めることができる。
【００３８】
また、このような重複部３０により、第１着用状態において重複部３０によって着用者の股部の露出を抑制できると共に、第２着用状態において後身頃１２によって着用者の股部の露出を抑制できる。
【００３９】
なお、上記重複部３０の構成において、開き部２０の設置方法については任意であるが、実施の形態では、図１（ａ）、図２に示すように、重複部３０（具体的には、重複部３０の幅方向の略中央部）が前身頃１１の幅方向の略中央部に位置するように、開き部２０を当該中央部よりも幅方向の外側（図１（ａ）、図２では、当該中央部よりも左側）に配置している。
【００４０】
このような設置により、第１着用状態において着用者の股部の露出を抑制しながら、第２着用状態において着用者の臀部を効果的に露出させることができ、第１着用状態においてスカート１の着用性を高めながら、第２着用状態において診察又は治療を行いやすくできる。
【００４１】
（構成−留め部）
図１に戻り、留め部４０は、開き部２０を開閉自在とするものである。この留め部４０は、例えば公知の留め構造（例えば、係止構造）を用いて構成されている。具体的には、図１（ａ）、図２に示すように、右側前身頃１１ａのスカート内面に設けられた係止部４１（例えば、雄ホック材）と、左側前身頃１１ｂのスカート外面に設けられた被係止部であって、係止部４１によって係止される被係止部（例えば、雌ホック材）とを備えている。ただし、これに限らず。例えば、係止構造以外の留め構造（一例として、嵌合構造）を用いて構成されてもよい。
【００４２】
また、留め部４０の設置方法については任意であるが、実施の形態では、図１（ａ）、図２に示すように、留め部４０を開き部２０の丈方向（上下方向）の略中央位置に設けている。具体的には、係止部４１を、左側前身頃１１ｂの先端部（図１（ａ）、図２では、右端部）よりも左側の位置であって、開き部２０に対応する位置に設けている。また、被係止部を、右側前身頃１１ａの先端部（図１（ａ）、図２では、左端部）の近傍に設けている。
【００４３】
このような設置により、留め部４０の操作性を確保しながら、開き部２０を効果的に閉鎖でき、留め部４０の設置性を高めることができる。
【００４４】
また、このような留め部４０により、開き部２０を開閉自在にでき、状況に応じて開き部２０を開閉することができる。
【００４５】
（構成−視認部）
図１に戻り、視認部５０は、開き部２０をスカート１の背面側に位置させる際に、開き部２０が所定位置（例えば、スカート１の背面の幅方向の略中央部よりも右側の位置）に位置する旨を着用者に対して視認させるためのものである。この視認部５０は、例えば布製のシート状体にて形成されており、前身頃１１のスカート外面に設けられている。具体的には、図１、図２に示すように、前身頃１１の左端部（又はその近傍位置）に設けられ、前身頃１１に対して縫着等にて固定されている。
【００４６】
また、視認部５０の具体的な構成については任意であるが、実施の形態では、スカート１のサイズ又は材料等を示す表示タグとしても機能可能に構成されており、具体的には、スカート１のサイズ等を示す文字が視認部５０の表面に記載されている。
【００４７】
このような構成により、視認部５０の機能に加えて、表示タグとしても機能させることができ、表示タグを別途設ける手間を省略できる。
【００４８】
また、視認部５０による開き部２０の位置の確認方法については任意であるが、実施の形態では、図３に示す第１着用状態において視認部５０が着用者の左腰部付近に位置する場合に、図４に示すように、第２着用状態において視認部５０が前身頃１１の右腰部付近に位置することを着用者が視認することにより、開き部２０が上記所定位置に位置することを確認できる。
【００４９】
このような視認部５０により、第２着用状態において開き部２０が所定位置に位置することを着用者が容易に確認でき、第２着用状態において開き部２０を所定位置に確実に位置させることが可能となる。
【００５０】
（構成−締付部）
図１に戻り、締付部６０は、着用者の腰部を締め付けるものである。この締付部６０は、例えば公知の締付部材（一例として、ゴム材）を用いて構成されており、図１、図２に示すように、前身頃１１及び後身頃１２に設けられている。具体的には、前身頃１１及び後身頃１２の上端部全体にわたって設けられており、前身頃１１及び後身頃１２に対して縫着等にて固定されている。
【００５１】
このような締付部６０により、着用状態を保持でき、スカート１の着用性を高めることができる。
【００５２】
以上のようなスカート１により、従来技術（スカート１の前身頃１１の一部を切り欠くことに形成された垂れ部分を備える技術）に比べて、第１着用状態又は第２着用状態であるか否かに関わらず、着用者の股部が不必要に露出することを抑制でき、スカート１の着用性を高めることができる。
【００５３】
（スカートの作用）
続いて、このように構成されたスカート１の作用について説明する。図５は、着用者が後述する診察台Ｔに座る手順を示す図であり、（ａ）は後述する診察台Ｔに座る直前の状態を示す図、（ｂ）は後述する診察台Ｔを上昇させる前の状態を示す図、（ｃ）は後述する診察台Ｔを上昇させた後の状態を示す図である。
【００５４】
このスカート１の作用は、第１着用状態の作用（以下、「第１作用」と称する）と、第１着用状態から第２着用状態に切り替える作用（以下、「第２作用」と称する）と、第２着用状態の作用（以下、「第３作用」と称する）とに大別される。また、上記各種の作用の前提については、病院にいる着用者がスカート１を着用しているものとして説明する。
【００５５】
（スカートの作用−第１作用）
最初に、第１作用について説明する。
【００５６】
例えば、図３に示すように、第１着用状態において、着用者の姿勢状態が起立した状態では、重複部３０によって着用者の股部の略全体が覆われる。また、起立した状態以外の姿勢状態（例えば、歩行している状態、前方に屈んだ状態、座った状態等）においても、重複部３０によって股部が覆われた状態が保持される。このことから、着用者の姿勢状態に関わらず、重複部３０によって着用者の股部の露出を抑制できる。
【００５７】
（スカートの作用−第２作用）
次に、第２作用について説明する。
【００５８】
例えば、図４に示すように、着用者が診察又は治療を受けるために診察台Ｔ（例えば、昇降可能な公知の診察台Ｔ）に座る前に、着用者によって、前身頃１１と後身頃１２の位置を相互に入れ替えるように、スカート本体１０が時計回り（又は反時計回り）に回転されることで、第１着用状態から第２着用状態に切り替えられる。
【００５９】
この場合において、第１着用状態において着用者の左腰部付近に位置する視認部５０が、第２着用状態において視認部５０が前身頃１１の右腰部付近に位置することを、着用者によって視認されることで、開き部２０が所定位置に位置していることが確認できる。
【００６０】
（スカートの作用−第３作用）
続いて、第３作用について説明する。
【００６１】
例えば、図５（ａ）に示すように、第２着用状態において、着用者が診察台Ｔに座る直前に着用者によって後身頃１２が前方に引張られると、着用者の臀部の少なくとも一部が露出される。そして、図５（ｂ）に示すように、この状態を維持しながら着用者が診察台Ｔに座ると、後身頃１２によって着用者の股部が覆われると共に、着用者が診察台Ｔに座っていても足部を容易に開くことができる。特に、着用者の臀部の略全体が露出する程度に後身頃１２が前方に引張られた場合には、着用者が診察台Ｔに座っている状態において着用者の背面側にスカート本体１０が位置しないので、診察又は治療が行いやすくなる。
【００６２】
さらに、図５（ｃ）に示すように、着用者の診察中又は治療中において診察台Ｔが上昇しても、後身頃１２によって着用者の股部が覆われる。また、着用者が足部を開いていても、後身頃１２によって股部が覆われた状態が保持される。このことから、診察台Ｔに座っている状態では、後身頃１２によって着用者の股部の露出を抑制できる。
【００６３】
（実施の形態の効果）
このように実施の形態によれば、前身頃１１の下端から上端の近傍にわたって形成される開き部２０と、前身頃１１のうち開き部２０よりも幅方向の一方側の部分と、当該幅方向の他方側の部分とを正面方向から見て重複させることで形成される重複部３０と、を備えるので、開き部２０が正面側に位置するようにスカート１を着用した第１着用状態において重複部３０によって着用者の股部の露出を抑制できると共に、開き部２０が背面側に位置するようにスカート１を着用した第２着用状態において後身頃１２によって着用者の股部の露出を抑制できる。よって、従来技術（スカート１の前身頃１１の一部を切り欠くことに形成された垂れ部分を備える技術）に比べて、第１着用状態又は第２着用状態であるか否かに関わらず、着用者の股部が不必要に露出することを抑制でき、スカート１の着用性を高めることができる。
【００６４】
また、重複部３０が前身頃１１の幅方向の略中央部に位置するように、開き部２０を当該中央部よりも幅方向の外側に配置したので、第１着用状態において着用者の股部の露出を抑制しながら、第２着用状態において着用者の臀部を効果的に露出させることができ、第１着用状態においてスカート１の着用性を高めながら、第２着用状態において診察又は治療を行いやすくできる。
【００６５】
また、重複部３０の幅を、前身頃１１の上端から下端に向かうにつれて狭くしたので、重複部３０の幅を前身頃１１の上端から下端に向かうにつれて広くする場合に比べて、足さばきに優れるため、スカート１の着用性を高めることができる。
【００６６】
また、留め部４０を、開き部２０の丈方向の略中央位置に設けたので、留め部４０の操作性を確保しながら、開き部２０を効果的に閉鎖でき、留め部４０の設置性を高めることができる。
【００６７】
また、開き部２０をスカート１の背面側に位置させる際に、開き部２０が所定位置に位置する旨を着用者に対して視認させるための視認部５０を備えるので、第２着用状態において開き部２０が所定位置に位置することを着用者が容易に確認でき、第２着用状態において開き部２０を所定位置に確実に位置させることが可能となる。
【００６８】
〔ＩＩＩ〕実施の形態に対する変形例
以上、本考案に係る実施の形態について説明したが、本考案の具体的な構成及び手段は、実用新案登録請求の範囲に記載した各考案の技術的思想の範囲内において、任意に改変及び改良することができる。以下、このような変形例について説明する。
【００６９】
（解決しようとする課題や考案の効果について）
まず、考案が解決しようとする課題や考案の効果は、上述の内容に限定されるものではなく、考案の実施環境や構成の細部に応じて異なる可能性があり、上述した課題の一部のみを解決したり、上述した効果の一部のみを奏したりすることがある。
【００７０】
（形状、数値、構造、時系列について）
上記実施の形態や図面において例示した構成要素に関して、形状、数値、又は複数の構成要素の構造若しくは時系列の相互関係については、本考案の技術的思想の範囲内において、任意に改変及び改良することができる。例えば、スカート本体１０における各部は、特記する場合を除いて、上記説明とは異なる形状、方法、及び材質で製造することができる。
【００７１】
（スカートについて）
上記実施の形態では、スカート１が、留め部４０、視認部５０、及び締付部６０を備えていると説明したが、これに限らず、例えば、留め部４０、視認部５０、又は締付部６０の少なくともいずれか１つを省略してもよい。なお、締付部６０を省略する場合には、これに代えて、ベルト通し部を備えてもよい。
【００７２】
（重複部について）
上記実施の形態では、重複部３０が前身頃１１の幅方向の略中央部に位置するように、開き部２０を当該中央部よりも幅方向の外側に配置していると説明したが、これに限らない。例えば、重複部３０が前身頃１１の幅方向の略中央部よりも幅方向の外側に位置するように、開き部２０を配置してもよい。
【００７３】
また、上記実施の形態では、重複部３０の幅を、前身頃１１の上端から下端に向かうにつれて狭くなるように設定していると説明したが、これに限らない。例えば、前身頃１１の上端から下端に向かうにつれて広くなるように設定してもよく、あるいは、均一に設定してもよい。
【００７４】
（留め部について）
上記実施の形態では、留め部４０の設置数が１つであると説明したが、これに限らず、例えば、２つ以上であってもよい。
【００７５】
また、上記実施の形態では、留め部４０の係止部４１が雌ホック材であり、被係止部が雄ホック材であると説明したが、これに限らない。例えば、係止部４１が雌ファスナ材であり、被係止部（図示省略）が雄ファスナ材であってもよい。あるいは、係止部４１がボタン孔であり、被係止部がボタンであってもよい。
【００７６】
また、上記実施の形態では、留め部４０が、開き部２０の丈方向の略中央位置に設けられていると説明したが、これに限らず、例えば、開き部２０の丈方向の略中央位置以外の位置（一例として、開き部２０の下端部）に設けられてもよい。
【００７７】
（視認部について）
上記実施の形態では、視認部５０が、表示タグとして機能するように構成されていると説明したが、これに限らず、例えば、表示タグとして機能しないように構成されてもよい。
【００７８】
また、上記実施の形態では、視認部５０が、布製のシート状体にて形成されていると説明したが、これに限らず、例えば、前身頃１１と後身頃１２との継ぎ目であってもよい。
【００７９】
（締付部について）
上記実施の形態では、締付部６０がゴム材であると説明したが、これに限らず、例えば、紐材、リブ材、フライス材、又はニットテープ等であってもよい。
【００８０】
（付記）
付記１のスカートは、着用者が診察又は治療される際に着用するスカートであり、前身頃と後身頃とを有すると共に、前記着用者が当該スカートを着用した着用状態において、前記前身頃と前記後身頃の位置を相互に入れ替えるように回転自在であるスカートであって、前記前身頃の下端から上端の近傍にわたって形成される開き部と、前記前身頃のうち前記開き部よりも幅方向の一方側の部分と、当該幅方向の他方側の部分とを正面方向から見て重複させることで形成される重複部と、を備える。
【００８１】
付記２のスカートは、付記１に記載のスカートにおいて、前記重複部が前記前身頃の幅方向の略中央部に位置するように、前記開き部を当該中央部よりも幅方向の外側に配置した。
【００８２】
付記３のスカートは、付記１又は２に記載のスカートにおいて、前記重複部の幅を、前記前身頃の上端から下端に向かうにつれて狭くした。
【００８３】
付記４のスカートは、付記１から３のいずれか一項に記載のスカートにおいて、前記開き部を開閉自在とする留め部を備え、前記留め部を、前記開き部の丈方向の略中央位置に設けた。
【００８４】
付記５のスカートは、付記１から４のいずれか一項に記載のスカートにおいて、前記開き部を当該スカートの背面側に位置させる際に、前記開き部が所定位置に位置する旨を前記着用者に対して視認させるための視認部を備える。
【００８５】
（付記の効果）
付記１に記載のスカートによれば、前身頃の下端から上端の近傍にわたって形成される開き部と、前身頃のうち開き部よりも幅方向の一方側の部分と、当該幅方向の他方側の部分とを正面方向から見て重複させることで形成される重複部と、を備えるので、開き部が正面側に位置するようにスカートを着用した第１着用状態において重複部によって着用者の股部の露出を抑制できると共に、開き部が背面側に位置するようにスカートを着用した第２着用状態において後身頃によって着用者の股部の露出を抑制できる。よって、従来技術（スカートの前身頃の一部を切り欠くことに形成された垂れ部分を備える技術）に比べて、第１着用状態又は第２着用状態であるか否かに関わらず、着用者の股部が不必要に露出することを抑制でき、スカートの着用性を高めることができる。
【００８６】
付記２に記載のスカートによれば、重複部が前身頃の幅方向の略中央部に位置するように、開き部を当該中央部よりも幅方向の外側に配置したので、第１着用状態において着用者の股部の露出を抑制しながら、第２着用状態において着用者の臀部を効果的に露出させることができ、第１着用状態においてスカートの着用性を高めながら、第２着用状態において診察又は治療を行いやすくできる。
【００８７】
付記３に記載のスカートによれば、重複部の幅を、前身頃の上端から下端に向かうにつれて狭くしたので、重複部の幅を前身頃の上端から下端に向かうにつれて広くする場合に比べて、足さばきに優れるため、スカートの着用性を高めることができる。
【００８８】
付記４に記載のスカートによれば、留め部を、開き部の丈方向の略中央位置に設けたので、留め部の操作性を確保しながら、開き部を効果的に閉鎖でき、留め部の設置性を高めることができる。
【００８９】
付記５に記載のスカートによれば、開き部を当該スカートの背面側に位置させる際に、開き部が所定位置に位置する旨を着用者に対して視認させるための視認部を備えるので、第２着用状態において開き部が所定位置に位置することを着用者が容易に確認でき、第２着用状態において開き部を所定位置に確実に位置させることが可能となる。
【符号の説明】
【００９０】
１  スカート
１０  スカート本体
１１  前身頃
１１ａ  右側前身頃
１１ｂ  左側前身頃
１２  後身頃
１３  腰口部
１４  袖口部
１５  ギャザー部
２０  開き部
３０  重複部
４０  留め部
４１  係止部
５０  視認部
６０  締付部
Ｔ  診察台
【図１】
0003229829.tif 000003
【図２】
0003229829.tif 000004
【図３】
0003229829.tif 000005
【図４】
0003229829.tif 000006
【図５】
0003229829.tif 000007